【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
光入射面から入射した光を閉じ込めて伝搬させ、光出射面から出射させる導光板と、前記導光板の光入射面と対向する位置に配置された点光源とを備えた面光源装置において、
前記光出射面から出射する光の光度が最大となる方向が前記光出射面の法線方向に対して斜め方向に傾いており、その光度最大方向が前記光出射面内でほぼ一方向に揃っていることを特徴とする面光源装置。
【請求項２】
前記導光板の光出射面から出射する光の光度が最大となる方向と、前記光出射面に立てた法線とのなす角度が１５°以上であることを特徴とする、請求項１に記載の面光源装置。
【請求項３】
前記導光板の光出射面から出射する光の光度が最大となる方向と、前記光出射面に立てた法線とのなす角度が２０°以上３５°以下であることを特徴とする、請求項１に記載の面光源装置。
【請求項４】
前記導光板の光出射面から出射する光の光度が最大となる方向が、前記光出射面から出射された光によって照明される被照明物を観察するときの被照明物の上下方向と前記光出射面の法線とを含む平面に平行であることを特徴とする、請求項１乃至３のいずれかに記載の面光源装置。
【請求項５】
光入射面から入射した光を閉じ込めて伝搬させ、光出射面から出射させる導光板と、前記導光板の光入射面に対向する位置に配置された点光源とを備えた面光源装置において、
前記導光板の光出射面と対向する面には、光を偏向させる傾斜面を含む複数のパターンが設けられており、前記点光源と前記パターンの傾斜面を結ぶ方向の違いに応じて、点光源と前記パターンの傾斜面を結ぶ方向と前記パターンの傾斜面に立てた法線とのなす角度が異なることを特徴とする面光源装置。
【請求項６】
前記導光板の光出射面に垂直な方向から見たとき、前記点光源を中心とする同一円周上にあるパターンの傾斜面に立てた法線が、前記点光源と異なる位置にある１点にほぼ集まることを特徴とする、請求項５に記載の面光源装置。
【請求項７】
前記点光源を中心とする同一円周上にある前記パターンの長手方向が、前記点光源と前記パターンとを結ぶ直線と、前記点光源を焦点とする楕円との交点における前記楕円の接線方向と一致することを特徴とする、請求項６に記載の面光源装置。
【請求項８】
前記導光板の光出射面に垂直な方向から見たとき、前記パターンは、その長手方向が前記点光源を焦点とする楕円の接線方向と一致するようにして前記楕円上に配置されていることを特徴とする、請求項５に記載の面光源装置。
【請求項９】
前記導光板の光出射面に垂直な方向から見たとき、前記点光源を中心とする同一円周上にあるパターンに関しては、各傾斜面の法線がほぼ集まる前記の点と前記点光源を結ぶ方向と、前記点光源と前記パターンを結ぶ方向とのなす角度が大きくなるに従い、前記パターンの傾斜面と前記光出射面に対向する面とのなす角度が大きくなることを特徴とする、請求項６に記載の面光源装置。
【請求項１０】
前記点光源を中心とする同一円周上にあるパターンの傾斜面に立てた法線が１点にほぼ集まり、前記導光板の光出射面に垂直な方向から見たとき、前記点が前記点光源の位置と一致しないことを特徴とする、請求項５に記載の面光源装置。
【請求項１１】
前記光入射面は、前記光出射面から出射された光によって照明される被照明物を観察するときの被照明物の上下方向において、前記導光板の上端部に位置していることを特徴とする、請求項５乃至１０のいずれかに記載の面光源装置。
【請求項１２】
前記点光源は、前記導光板の有効出射領域のコーナー部付近に配置されていることを特徴とする、請求項５乃至１０のいずれかに記載の面光源装置。
【請求項１３】
請求項１乃至１０のいずれかに記載の面光源装置と、前記面光源装置の光出射面側に配置され、前記光出射面から出射された光を反射させる反射面を有する反射型表示パネルとを備えたことを特徴とする反射型表示装置。
【請求項１４】
請求項１乃至１０のいずれかに記載の面光源装置と、前記面光源装置の光出射面側に配置され、前記光出射面から出射された光を反射させる反射面を有する反射型表示パネルとを備えた反射型表示装置において、
前記反射面は、前記面光源装置に用いられている導光板の光出射面に立てた法線に斜め方向から入射した光を前記光出射面に垂直な方向へ反射させることを特徴とする反射型表示装置。
【請求項１５】
光入射面から入射した光を閉じ込めて伝搬させ、光出射面から出射させる導光板と、導光板の光入射面と対向する位置に配置された点光源とを備えた面光源装置において、
前記光出射面から出射する光の光度が最大となる方向を光出射面の法線方向に対して斜め方向に傾かせ、その光度最大方向を光出射面内でほぼ一方向に揃えることを特徴とする面光源装置における光制御方法。
【手続補正２】
【補正対象書類名】明細書
【補正対象項目名】発明の名称
【補正方法】変更
【補正の内容】
【発明の名称】面光源装置、反射型表示装置及び面光源装置における光制御方法
【手続補正３】
【補正対象書類名】明細書
【補正対象項目名】０００１
【補正方法】変更
【補正の内容】
【０００１】
本発明は、面光源装置、反射型表示装置及び面光源装置における光制御方法に関する。
【手続補正４】
【補正対象書類名】明細書
【補正対象項目名】０００８
【補正方法】変更
【補正の内容】
【０００８】
本発明は上記のような技術的課題に鑑みてなされたものであり、その目的とするところは、いわゆる点光源を用いた面光源装置において、画像光とノイズ光とが同じ方向へ出射されるのを防止し、また、面光源装置により照明している場合と外光により照明している場合との照明具合の差を小さくすることにある。
【手続補正５】
【補正対象書類名】明細書
【補正対象項目名】０００９
【補正方法】変更
【補正の内容】
【０００９】
本発明にかかる第１の面光源装置は、光入射面から入射した光を閉じ込めて伝搬させ、前記光出射面から被照明物に向けて光を出射させる導光板と、導光板の光入射面と対向する位置に配置された点光源とを備えた面光源装置において、前記光出射面から出射する光の光度が最大となる方向が前記光出射面の法線方向に対して斜め方向に傾いており、その光度最大方向が前記光出射面内でほぼ一方向に揃っていることを特徴とする。
【手続補正６】
【補正対象書類名】明細書
【補正対象項目名】００１０
【補正方法】変更
【補正の内容】
【００１０】
本発明にかかる第１の面光源装置においては、出射光の光度が最大となる方向が光出射面の法線方向に対して斜め方向に傾いているので、導光板などで正反射したノイズ光が画像光と同じ方向に出射されることがなく、画像のコントラストを高くすることができる。しかも、その光度が最大となる方向が光出射面内でほぼ一方向に揃っているので、この面光源装置によって照明される反射型表示装置の反射面の構造を簡単にすることができる。
【手続補正７】
【補正対象書類名】明細書
【補正対象項目名】００１１
【補正方法】変更
【補正の内容】
【００１１】
本発明の第１の面光源装置は、ある実施態様において、前記導光板の光出射面から出射する光の光度が最大となる方向と前記光出射面に立てた法線とのなす角度が１５°以上である。このような実施態様によれば、前記面光源装置を用いている反射型表示装置の画面に外光が映り込むのを防ぐことができる。
【手続補正８】
【補正対象書類名】明細書
【補正対象項目名】００１２
【補正方法】変更
【補正の内容】
【００１２】
また、本発明の第１の面光源装置は、他の実施態様において、前記導光板の光出射面から出射する光の光度が最大となる方向と前記光出射面に立てた法線とのなす角度が２０°以上３５°以下である。このような実施態様によれば、この面光源装置を用いた反射型表示装置を手に持って画面を見るとき、外光を用いて画面を照明する場合も、面光源装置を用いて画面を照明する場合も、画面を明るく照らすことができる。
【手続補正９】
【補正対象書類名】明細書
【補正対象項目名】００１３
【補正方法】変更
【補正の内容】
【００１３】
本発明の第１の面光源装置は、さらに他の実施態様において、前記導光板の光出射面から出射する光の光度が最大となる方向が、前記光出射面から出射された光によって照明される被照明物を観察するときの被照明物の上下方向と前記光出射面の法線とを含む平面に平行である。このような実施態様によれば、面光源装置から出射される光の光度が最大となる方向が、外光を用いる場合の照明方向とほぼ同じ方向を向くので、外光を用いて照明する場合も面光源装置を用いて照明する場合も、同じように画面を明るく照明することができる。
【手続補正１０】
【補正対象書類名】明細書
【補正対象項目名】００１４
【補正方法】変更
【補正の内容】
【００１４】
本発明にかかる第２の面光源装置は、光入射面から入射した光を閉じ込めて伝搬させ、光出射面から出射させる導光板と、導光板の光入射面に対向する位置に配置された点光源とを備えた面光源装置において、前記導光板の光出射面と対向する面には、光を偏向させる傾斜面を含む複数のパターンが設けられており、前記点光源と前記パターンの傾斜面を結ぶ方向の違いに応じて、点光源と前記パターンの傾斜面を結ぶ方向と前記パターンの傾斜面に立てた法線とのなす角度が異なることを特徴とする。
【手続補正１１】
【補正対象書類名】明細書
【補正対象項目名】００１５
【補正方法】変更
【補正の内容】
【００１５】
本発明にかかる第２の面光源装置においては、点光源とパターンの傾斜面とを結ぶ方向の違いに応じて、光線と傾斜面に立てた法線のなす角度を変化させているので、パターンの方向に応じて反射光の出射方向を広い範囲にわたって制御することができる。
【手続補正１２】
【補正対象書類名】明細書
【補正対象項目名】００１６
【補正方法】変更
【補正の内容】
【００１６】
本発明にかかる第２の面光源装置は、ある実施態様において、前記導光板の光出射面に垂直な方向から見たとき、前記点光源を中心とする同一円周上にあるパターンの傾斜面に立てた法線が、前記点光源と異なる位置にある１点にほぼ集まっている。このような実施態様によれば、点光源から出射された光をパターンの傾斜面で反射させることにより、一方向に揃えて光出射面から斜め方向へ出射させることができ、画面のコントラストを高めることができる。
【手続補正１３】
【補正対象書類名】明細書
【補正対象項目名】００１７
【補正方法】変更
【補正の内容】
【００１７】
本発明にかかる第２の面光源装置は、他の実施態様において、前記点光源を中心とする同一円周上にある前記パターンの長手方向が、前記点光源と前記パターンとを結ぶ直線と、前記点光源を焦点とする楕円との交点における前記楕円の接線方向と一致する。このような実施態様によれば、点光源からの光を光出射面から一方向に揃えて出射させるためのパターンの配置角度を、点光源とパターンを結ぶ方向に応じて容易に設定することができる。
【手続補正１４】
【補正対象書類名】明細書
【補正対象項目名】００１８
【補正方法】変更
【補正の内容】
【００１８】
本発明にかかる第２の面光源装置は、さらに他の実施態様において、前記導光板の光出射面に垂直な方向から見たとき、前記パターンは、その長手方向が前記点光源を焦点とする楕円の接線方向と一致するようにして前記楕円上に配置されている。このような実施態様によれば、点光源からの光を光出射面から一方向に揃えて出射させるためのパターンの配置角度を容易に設定することができる。
【手続補正１５】
【補正対象書類名】明細書
【補正対象項目名】００１９
【補正方法】変更
【補正の内容】
【００１９】
本発明にかかる第２の面光源装置は、さらに他の実施態様において、導光板の光出射面に垂直な方向から見たとき、前記点光源を中心とする同一円周上にあるパターンに関しては、各傾斜面の法線がほぼ集まる前記の点と前記点光源を結ぶ方向と、前記点光源と前記パターンを結ぶ方向とのなす角度が大きくなるに従い、前記パターンの傾斜面と前記光出射面に対向する面とのなす角度が大きくなっている。このような実施態様によれば、点光源から出射された光をパターンで反射させることにより、一方向に揃えて斜め方向へ出射させることができ、出射光の指向性を高くでき、画面の輝度を向上させることができる。
【手続補正１６】
【補正対象書類名】明細書
【補正対象項目名】００２０
【補正方法】変更
【補正の内容】
【００２０】
本発明にかかる第２の面光源装置は、さらに他の実施態様において、前記点光源を中心とする同一円周上にあるパターンの傾斜面に立てた法線が１点にほぼ集まり、前記導光板の光出射面に垂直な方向から見たとき、前記点が前記点光源の位置と一致しないようにしている。このような実施態様によれば、パターンの傾斜面に立てた法線が１点にほぼ集まるようにしているので、点光源から出た光を一方向に揃えたうえで、光出射面から斜め方向へ出射させることができ、出射光の指向性をさらに高くでき、画面の輝度を向上させることができる。
【手続補正１７】
【補正対象書類名】明細書
【補正対象項目名】００２１
【補正方法】変更
【補正の内容】
【００２１】
本発明にかかる第２の面光源装置は、さらに他の実施態様において、前記光入射面が、前記光出射面から出射された光によって照明される被照明物を観察するときの被照明物の上下方向において、前記導光板の上端部に位置している。このような実施態様によれば、光入射面が被照明物を観察するときの上端部にあるので、光を斜め下方向へ出射しやすくなる。これにより、外光で照明する時の光の入射方向と面光源装置で照明する時の光の入射方向とが揃い、反射型表示装置の反射面で両方の光を垂直方向へ向けて反射させ出射させることができる。
【手続補正１８】
【補正対象書類名】明細書
【補正対象項目名】００２２
【補正方法】変更
【補正の内容】
【００２２】
本発明にかかる第２の面光源装置は、さらに他の実施態様において、前記点光源が、前記導光板の有効出射領域のコーナー部付近に配置されている。このような実施態様によれば、導光板の有効出射領域のコーナー部付近に点光源を配置しているので、導光板の有効出射領域全面に光を出射させるために必要となる出射光の広がりが狭くて済み、有効出射領域の隅が暗くなる現象を抑えることができる。さらに、画面中央部でノイズ光の出射される方向が画面の上下方向に対して非平行となり、ノイズ光が視認されにくくなる。
【手続補正１９】
【補正対象書類名】明細書
【補正対象項目名】００２３
【補正方法】変更
【補正の内容】
【００２３】
本発明にかかる反射型表示装置は、上記各面光源装置と、前記面光源装置の光出射面側に配置され、面光源装置の光出射面から出射された光を反射させる反射面を有する反射型表示パネルとを備えたことを特徴とする。
【手続補正２０】
【補正対象書類名】明細書
【補正対象項目名】００２４
【補正方法】変更
【補正の内容】
【００２４】
本発明にかかる反射型表示装置においては、面光源装置の光出射面から、光出射面に立てた法線から傾いた方向へ照明光を出射させ、しかも、光出射面から出射される光の方向を一方向に揃えているので、画面のコントラストを高くすることができ、広い角度から画面を見ることができるようにすることができる。しかも、面光源装置から出射される光の方向が一方向に揃っているので、反射板の構造を簡略にすることができると共に、外光で照明した場合でも画面に輝度ムラが生じにくい。
【手続補正２１】
【補正対象書類名】明細書
【補正対象項目名】００２５
【補正方法】変更
【補正の内容】
【００２５】
本発明にかかる別の反射型表示装置は、前記のいずれかの面光源装置と、前記面光源装置の光出射面側に配置され、面光源装置の光出射面から出射された光を反射させる反射面を有する反射型表示パネルとを備えた反射型表示装置において、前記反射面は、前記面光源装置に用いられている導光板の光出射面に立てた法線に斜め方向から入射した光を前記光出射面に垂直な方向へ反射させることを特徴とする。
【手続補正２２】
【補正対象書類名】明細書
【補正対象項目名】００２６
【補正方法】変更
【補正の内容】
【００２６】
本発明にかかる別の反射型表示装置においては、面光源装置の光出射面から、光出射面に立てた法線から傾いた方向へ照明光を出射させ、これを反射面で垂直方向へ反射させており、しかも、光出射面から出射される光の方向を一方向に揃えているので、画面のコントラストをより高くすることができ、広い角度から画面を見ることができるようにすることができる。しかも、面光源装置から出射される光の方向が一方向に揃っているので、反射板の構造を簡略にすることができると共に、外光で照明した場合でも画面に輝度ムラが生じにくい。
【手続補正２３】
【補正対象書類名】明細書
【補正対象項目名】００２７
【補正方法】変更
【補正の内容】
【００２７】
本発明にかかる面光源装置における光制御方法は、光入射面から入射した光を閉じ込めて伝搬させ、光出射面から出射させる導光板と、導光板の光入射面と対向する位置に配置された点光源とを備えた面光源装置において、前記光出射面から出射する光の光度が最大となる方向を光出射面の法線方向に対して斜め方向に傾かせ、その光度最大方向を光出射面内でほぼ一方向に揃えることを特徴とする。
【手続補正２４】
【補正対象書類名】明細書
【補正対象項目名】００２８
【補正方法】変更
【補正の内容】
【００２８】
本発明にかかる面光源装置における光制御方法においては、出射光の光度が最大となる方向が光出射面の法線方向に対して斜め方向に傾いているので、導光板などで正反射したノイズ光が画像光と同じ方向に出射されることがなく、画像のコントラストを高くすることができる。しかも、その光度が最大となる方向が光出射面内でほぼ一方向に揃っているので、この面光源装置によって照明される反射型表示装置の反射面の構造を簡単にすることができる。
【手続補正２５】
【補正対象書類名】明細書
【補正対象項目名】００３０
【補正方法】変更
【補正の内容】
【００３０】
本発明の面光源装置、反射型表示装置及び面光源装置における光制御方法によれば、光源として点光源を用いた場合に、光源から出射され、パターンで反射された後、導光板の光出射面から出射される光を、光出射面に立てた法線の方向に対して傾いた方向へ出射させ、しかも、光出射面から出射される光の方向をほぼ一定方向に揃えることができる。
すなわち、本発明によれば、点光源を用いた場合でも、画像光とノイズ光が同じ方向に出射されないようにすることができ、視認性が向上すると共に輝度ムラを防止することができる。